(57)【要約】【課題】使用する記録紙を変更すると、再度チューニングをしなければ良質な色再現性が得られなかった。【解決手段】画像処理装置であって、使用する記録紙の地色影響度を取得する地色影響度取得手段と、前記使用する記録紙の地色を、基準に設定されている用紙の地色に補正するための基準ベクトルを取得する白基準ベクトル取得手段と、前記地色影響度取得手段で取得された地色影響度と前記基準ベクトル取得手段で取得された基準ベクトルとを用いて、前記使用する記録紙に設定された画像形成時に用いる色処理パラメ―タに対して補正を行う色補正手段と、を有することを特徴とする。【選択図】図１６
2013187611.tif 000002
【特許請求の範囲】
【請求項１】
使用する記録紙の地色影響度を取得する地色影響度取得手段と、
前記使用する記録紙の地色を、基準に設定されている用紙の地色に補正するための基準ベクトルを取得する基準ベクトル取得手段と、
前記地色影響度取得手段で取得された地色影響度と前記基準ベクトル取得手段で取得された基準ベクトルとを用いて、前記使用する記録紙に設定された画像形成時に用いる色処理パラメータに対して補正を行う補正手段と、
を有することを特徴とする画像処理装置。
【請求項２】
前記地色影響度は、使用するトナーの、単色の地色影響度と混色の地色影響度とからなることを特徴とする請求項１に記載の画像処理装置。
【請求項３】
前記単色の地色影響度は、使用する各トナーの明度、濃度、トナーカバー率、彩度のうちいずれかの変化率であることを特徴とする請求項２に記載の画像処理装置。
【請求項４】
前記混色の地色影響度は、前記単色の影響度の合算値であることを特徴とする請求項２又は３に記載の画像処理装置。
【請求項５】
前記基準ベクトル取得手段で取得される基準ベクトルは、前記使用する記録紙の地色と前記基準に設定されている用紙の地色との差分であることを特徴とする請求項１に記載の画像処理装置。
【請求項６】
前記地色影響度取得手段は、地色影響度の取得を、キャリブレーションの実行時に行うことを特徴とする請求項１に記載の画像処理装置。
【請求項７】
前記使用する記録紙の地色の測色を前記キャリブレーションの実行時に行うことを特徴とする請求項６に記載の画像処理装置。
【請求項８】
前記使用する記録紙の地色の測色をプリントジョブの実行時に行うことを特徴とする請求項６に記載の画像処理装置。
【請求項９】
使用する記録紙の地色影響度を取得する地色影響度取得ステップと、
前記使用する記録紙の地色を、基準に設定されている用紙の地色に補正するための基準ベクトルを取得する基準ベクトル取得ステップと、
前記地色影響度取得ステップで取得された地色影響度と前記基準ベクトル取得ステップで取得された基準ベクトルとを用いて、前記使用する記録紙に設定された画像形成時に用いる色処理パラメータに対して補正を行う補正ステップと、
を含むことを特徴とする画像処理方法。
【請求項１０】
コンピュータを請求項１乃至９の何れか１項に記載の画像処理装置として機能させるためのプログラム。
【発明の詳細な説明】
【技術分野】
【０００１】
本発明は、画像データの色味を補正する画像処理装置及び画像処理方法ならびにプログラムに関するものである。
【背景技術】
【０００２】
電子写真方式を採用した画像形成装置においては、電子写真特有の不安定性のため色の変動量が大きい。そこで、従来から、シアン（Ｃ）、マゼンタ（Ｍ）、イエロー（Ｙ）、ブラック（Ｋ）の各トナーに対応した1次元の階調補正用のLUT（ルックアップテーブル）を作成するキャリブレーション技術が電子写真方式のプリンタには搭載されている。ルックアップテーブルとは、特定の間隔で区切られた入力データと該入力データに対応する出力データとが格納されたテーブルであり、演算式では表せない非線形な特性を表現することが可能である。1次元の階調補正用のＬＵＴ（以下、「1D LUT」と呼ぶ。）は、Ｃ、Ｍ、Ｙ、Ｋの各入力信号値を表現可能なプリンタ側の出力信号値を表している。プリンタは、この出力信号値に対応したトナーを使って記録紙上に画像を形成する。ＣＭＹＫ独立、つまり単色補正用の1D LUTを作成する場合、まず、Ｃ、Ｍ、Ｙ、Ｋの各トナーに対応した階調の異なるデータで構成されたチャートを用意してプリンタで出力する。そして、プリンタで出力されたチャートの値を内蔵スキャナや外部接続の測色機で読み取る。この読み取った値を予め持っているターゲットデータと比較することでＣＭＹＫ独立に補正する場合の1D LUTが得られる。
【０００３】
また、近年では内蔵スキャナや外部接続の測色器に代えて、プリンタの印刷出力直後の位置にセンサを配置して、出力したチャートを読み込むシステムが提案されている。これによれば、印刷出力した直後のチャートをセンサで読み取り、読み取った値を予め持っているターゲットデータと比較することで補正用の1D LUTが作成される。
【０００４】
しかし、印刷出力時に利用した記録紙に対して1D LUTで単色の階調特性を合わせても、レッド、グリーン、ブルーや、ＣＭＹを使ったグレー等、複数のトナーを使用した「混色」について色味を保証することは難しい。この要因の１つは、記録紙の地色による影響である。とくに記録紙が黄ばんだり、青みがかっていると、その地色からの影響を受けて色再現性が低下することが分かっている。
【０００５】
これについては、記録紙の地色に対して補色方向に色補正を行い、色再現性を良好にする技術が提案されている（例えば特許文献１）。
【先行技術文献】
【特許文献】
【０００６】
【特許文献１】特開２００４−２３７７１号公報
【発明の概要】
【発明が解決しようとする課題】
【０００７】
しかしながら、特許文献１の技術のように、記録紙の地色に対して単純に補色方向へ補正を行うだけでは、十分な画質が得られない。これは、色処理パラメータの設計時に想定していた色再現性や、ユーザ先での濃度調整・カラーバランス調整などの色設定値の最適化は、あくまでその調整時に利用していた記録紙に対して行われているためである。
【０００８】
さらに考えられる原因として、トナーの載り方に応じた地色の影響度の違いが考慮されていないという点が挙げられる。この点、記録紙の地色をしっかり覆うほどにトナーが載っていれば、地色の影響を受けることほとんどない。例えば、Ｃ、Ｍ、Ｙ、Ｋの各トナーによる総トナー載り量が１００％以上のベタ部では、記録紙の地色は見えないので、地色影響度は０％である。それに対して、総トナー載り量０％（トナーが載っていない）の紙白部では、記録紙の地色がむき出しになっているため、地色影響度は１００％となる。
【０００９】
実際に使用される記録紙が、設計時や調整時に用いた記録紙と異なっていることが日常的に起こり得ることからすれば、記録紙の地色の影響を考慮した色補正を行うことの意義は大きいといえる。
【課題を解決するための手段】
【００１０】
本発明に係る画像処理装置は、使用する記録紙の地色影響度を取得する地色影響度取得手段と、前記使用する記録紙の地色を、基準に設定されている用紙の地色に補正するための基準ベクトルを取得する基準ベクトル取得手段と、前記地色影響度取得手段で取得された地色影響度と前記基準ベクトル取得手段で取得された基準ベクトルとを用いて、前記使用する記録紙に設定された画像形成時に用いる色処理パラメータに対して補正を行う補正手段と、を有することを特徴とする。
【発明の効果】
【００１１】
本発明によれば、実際に使用する記録紙の地色の影響を考慮した色補正が可能となり、色味安定性が向上した良好な画質を得ることができる。
【図面の簡単な説明】
【００１２】
【図１】画像形成システムの構成の一例を示す図である。
【図２】センサで記録紙上のカラーチャートを測定する様子を示す図である。
【図３】（ａ）はＰＣから受信した印刷データに対して所定の処理を行い印刷部に渡すまでの処理の流れを示す図であり、（ｂ）はコントローラ内のソフトウェア構成を示す図である。
【図４】画像処理部における処理の流れを示すフローチャートである。
【図５】記録紙情報ライブラリに格納・保持される、記録紙に関する情報の一例を示す図である。
【図６】記録紙種類設定ダイアログボックスの一例である。
【図７】図７  （ａ）は白基準オプションダイアログボックスの一例であり、（ｂ）はユーザに確認を求めるメッセージの一例である。
【図８】記録紙種類登録ダイアログボックスの一例であり、（ｂ）はユーザに確認を求めるメッセージの一例である。
【図９】記録紙情報（一部）の自動登録処理の流れを示すフローチャートである。
【図１０】ユーザに選択を促すメッセージの一例である。
【図１１】カラーチャート上のK単色パッチの測色値（Ｌ＊ａ＊ｂ＊値）の一例を示した図である。
【図１２】地色影響度Rを取得する処理の流れを示すフローチャートである。
【図１３】K単色のトナーカバー率の一例である。
【図１４】K単色の地色影響度の一例である。
【図１５】K単色のトナーカバー率とK単色の地色影響度との関係を示すグラフである。
【図１６】地色に応じた色補正処理の流れを示すフローチャートである。
【図１７】白基準ベクトルの一例を示す図である。
【図１８】（ａ）は混色の地色影響度ＳＲが関連する処理部分をピックアップした図であり、（ｂ）はソースプロファイルに対して色補正を行う場合を説明した図である。
【図１９】印刷設定ダイアログボックスの一例である。
【図２０】濃度キャリブレーション処理の流れを示すフローチャートである。
【図２１】地色測定タイミングオプション設定画面の一例である。
【発明を実施するための形態】
【００１３】
以下、本発明を実施するための形態について図面を用いて説明する。
【００１４】
[実施例1]
図1は、画像形成システムの構成の一例を示す図である。
【００１５】
ＭＦＰ(Multi Function Peripheral)１００は、Ｃ、Ｍ、Ｙ、Ｋの各トナーを用いる電子写真方式の画像形成装置であり、ネットワーク１８０を介してＰＣ１９０と接続されている。ＰＣ１９０内のプリンタドライバによって生成された印刷データがＭＦＰ１００に送られ、該印刷データに従った出力が実行される。
【００１６】
ＭＦＰ１００は、コントローラ１１０、ネットワークＩ／Ｆ１２０、印刷部１３０、表示装置１４０、スキャナ１５０、入力装置１６０、記憶装置１７０で構成される。以下、各部について説明する。
【００１７】
コントローラ１１０は、ＣＰＵ１１１、ＲＯＭ１１２、ＲＡＭ１１３からなる。ＣＰＵ１１１がＲＯＭ１１２に格納された各種プログラムを実行することによって各部が統括的に制御される。ＲＡＭ１１３はＣＰＵ１１１のワークエリアである。
【００１８】
印刷部１３０は、印刷データに基づいて、ＣＭＹＫの有色トナーを用いて記録紙上に画像を形成し出力する。印刷部１３０は、記録紙の給紙を行う給紙部１３１、記録紙上に画像を形成する画像形成部１３２、所定のパッチを含んだカラーチャートを測定する測定部１３３、記録紙を排紙する排紙部１３５を含む。測定部１３３は、Ｌ＊ａ＊ｂ＊やＸＹＺ等のデバイスに依存しない色空間の値を取得できるセンサ１３４を備え、センサ１３４によって読み取られたカラーチャートの数値情報はコントローラ１１０へ送られる。コントローラ１１０は、受け取った数値情報を用いて演算を行い、単色や混色の色補正に利用する。
【００１９】
図２は、センサ１３４で記録紙上のカラーチャートを測定する様子を示す図である。図２の場合、４つのセンサ２０１〜２０４を用いて測定がなされ、カラーチャート２０５には、センサ２０１〜２０４が固定されている位置に合わせて所定のパッチが配置されている。記録紙が搬送されてカラーチャート２０５上のパッチが各センサの位置を通り過ぎる際に測色がなされる。
【００２０】
表示装置１４０は、ユーザへの指示やＭＦＰ１００の状態を示すユーザインタフェース画面を表示する。
【００２１】
スキャナ１５０は、紙等の記録媒体に記録された画像を読み取る画像読み取り手段であり、オートドキュメントフィーダーを含む。スキャナ１５０は、束状或いは一枚の原稿上の画像を図示しない光源で照射し、反射像をレンズでＣＣＤ（Charge Coupled Device）センサ等の固体撮像素子上に結像し、固体撮像素子からラスタ状の画像読み取り信号を画像データとして得る。
【００２２】
入力装置１６０は、ユーザからの入力を受け付けるためのインタフェースである。
【００２３】
記憶装置１７０は、例えばＨＤＤであって、コントローラ１１０で処理された或いは受け取ったデータ、後述のソースプロファイル、デスティネーションプロファイル、記録紙情報ライブラリ、画像処理部３１４で用いるパラメータ等を格納・保持する。
【００２４】
ネットワークＩ/Ｆ１２０は、印刷データ等の受信や、後述するラスタ画像や制御データ等の送信を行う。
【００２５】
次に、ＭＦＰ１００のコントローラ１１０における処理について説明する。図３の（ａ）はＰＣ１９０から受信した印刷データに対して所定の処理を行って印刷部１３０に渡すまでの処理の流れを示している。また、図３の（ｂ）はコントローラ１１０内のソフトウェア構成を示す図である。なお、本処理は、ＲＯＭ１１２からＲＡＭ１１３に読み込まれたプログラムをＣＰＵ１１１が実行することによって実現される。
【００２６】
まず、ＣＰＵ１１１は、ＮｅｔｗｏｒｋＩ／Ｆ１２０を介してＰＣ１９０から印刷データを受信し、ＲＡＭ１１３に格納する（３０１）。
【００２７】
次に、ＣＰＵ１１１はインタプリタ３１１によって、ＲＡＭ１１３に格納された印刷データのＰＤＬ（ページ記述言語）部分を解釈し、中間言語データを生成する（３０２）。中間言語データは、描画データ毎にＲＧＢ値やＣＭＹＫ値といったデバイス依存の色値を持っている。そこで、ＣＰＵ１１１はＣＭＳ（Color Management System）３１２によって、その色値をプリンタで再現するための色変換処理を行う（３０３）。具体的には、モニタやオフセット印刷機等の入力側の色情報を示すソースプロファイル３０６と、プリンタ等の出力側の色情報を示すデスティネーションプロファイル３０７とを組み合わせて、モニタ等の色をプリンタ等で再現するための色情報を生成する処理を行う。なお、ソースプロファイル３０６は、ＲＧＢやＣＭＹＫ等のデバイスに依存する色空間をＣＩＥ（国際照明委員会）が定めたＬ＊ａ＊ｂ＊やＸＹＺ等のデバイス非依存の色空間に変換するためのプロファイルである。また、デスティネーションプロファイル３０７は、デバイス非依存色空間をデバイスに依存したＣＭＹＫ色空間に変換するためのプロファイルである。通常、ＣＭＹＫ色空間への変換は非線形な変換となるため３次元のＬＵＴを用いる。
【００２８】
色変換処理を終えた後、ＣＰＵ１１１はレンダラ３１３によって、レンダリング（ラスタライズ）処理を行う（３０４）。すなわち、色変換処理された中間言語データを印刷部１３０の解像度に合わせた画像にビットマップ展開する処理を行う。
【００２９】
そして、ＣＰＵ１１１は画像処理部３１４によって、展開したビットマップデータに対し、印刷部１３０における画像形成に適した画像処理を行う。所定の画像処理を終えた画像は印刷部１３０に転送される。
【００３０】
記録紙情報ライブラリ３０８は、様々な記録紙に関する情報を格納する。格納された記録紙の情報は、画像形成部１３２の印刷プロセス条件を現在利用中の記録紙に適合するように切り替える際に参照される。例えば、印刷に使用する記録紙が坪量の低い薄紙である場合、通常より定着温度を下げるように印刷プロセス条件が制御される。また、記録紙情報ライブラリ３０８には、記録紙の色情報、トナー濃度などのトナーカバー量（トナーが記録紙を覆う量）と相関のある情報、地色からの影響度の関係性を示す情報なども格納される。そして、これらの情報をもとに後述の色補正処理が実施される。
【００３１】
なお、以下では、ＭＦＰ１００のＣＭＳ３１２で利用するデスティネーションプロファイル３０７に対して色補正処理を行う場合について説明するが、本実施例の適用範囲はこれに限られるものではない。例えば、ＭＦＰ１００のＣＭＳ３１２ではＲＧＢ画像までの変換に留めて画像処理部３１４においてＣＭＹＫ画像への変換を行うような場合において、当該画像処理部３１４で用いるパラメータに対して色補正処理を行ってもよい。さらに、ＰＣ１９０側にＣＭＳが存在する場合にあっては、当該ＣＭＳで利用されるデスティネーションプロファイルに対して行ってもよい。
【００３２】
次に、コントローラ１１０内の画像処理部３１４における処理の流れについて説明する。図４は、画像処理部３１４における処理の流れを示すフローチャートである。
【００３３】
ステップ４０１において、画像処理部３１４は、画像データを受け取る。
【００３４】
ステップ４０２において、画像処理部３１４は、受け取った画像データが、スキャナ１０３で読み取られたデータかどうかを判定する。スキャナで読み取られたデータ（スキャンデータ）である場合は、ＲＧＢ画像であるので、ステップ４０３及びステップ４０４に進む。一方、スキャンデータではない（ＰＣ１９０から送られたラスタ画像のデータである）場合は、ＣＭＳ３０３によってデバイス依存のＣＭＹＫに変換されたＣＭＹＫ画像であるので、ステップ４０８に進む。
【００３５】
ステップ４０３において、画像処理部３１４は、ＲＧＢ画像であるスキャンデータに対して色変換処理を行い、Ｌ＊ａ＊ｂ＊画像を生成する。また、ステップ４０４において、画像処理部３１４は、ＲＧＢ画像であるスキャンデータに対して画像のエッジ等を検出することによる文字判定処理を行って文字判定データを生成する。
【００３６】
ステップ４０５において、画像処理部３１４は、ステップ４０３で生成されたＬ＊ａ＊ｂ＊画像に対してフィルタ処理を行う。この場合において、ステップ４０４で生成された文字判定データを参照して、文字部分とそれ以外の部分とで異なるフィルタ処理を行う。
【００３７】
ステップ４０６において、画像処理部３１４は、フィルタ処理されたＬ＊ａ＊ｂ＊画像に対して下地飛ばし処理を行う。
【００３８】
ステップ４０７において、画像処理部３１４は、下地飛ばし処理がされたＬ＊ａ＊ｂ＊画像に対して色変換処理を行って、ＣＭＹＫ画像を生成する。
【００３９】
ステップ４０８において、画像処理部３１４は、Ｃ、Ｍ、Ｙ、Ｋのそれぞれの色を補正するためのルックアップテーブルである1Ｄ-LUTを用いて、Ｃ、Ｍ、Ｙ、Ｋの各色（単色）の階調特性を補正する。
【００４０】
ステップ４０９において、画像処理部３１４は、ハーフトーン処理や誤差拡散処理といった画像形成処理を行って、ＣＭＹＫ画像（２値）を生成する。
【００４１】
ステップ４１０において、画像処理部３１４は、生成された２値のＣＭＹＫ画像のデータを印刷部１３０へ送る。
【００４２】
以上が、画像処理部３１４における処理の大まかな流れである。
【００４３】
次に、記録紙情報ライブラリ３０８について詳しく説明する。
【００４４】
図５は、記録紙情報ライブラリ３０８に格納・保持される、記録紙に関する情報の一例を示す図である。
【００４５】
ＩＤ番号５０１は、記録紙情報ライブラリ３０８に登録される記録紙情報の管理に用いられる。新規にＩＤ番号を追加登録する場合は、使われていないＩＤ番号を検索し、自動で割り当てる。ＩＤ番号の自動割当を含むすべての自動割当は、コントローラ１１０のＣＰＵ１１１によってなされる。項目名の横にある（★）は、新規登録時に設定が必須となる項目であることを示している。
【００４６】
ＩＤ番号５０１に対応する記録紙の種類を表す名称５０２は、予め登録されている基本名称（普通紙、厚紙、薄紙、再生紙など）のリストから選択してもよいし、任意の文字列で構成するオリジナルの名称を設定してもよい。なお、接尾辞として番号が自動的に割り当てられ、同一名称が複数並存しないよう管理される。
【００４７】
坪量５０３は、１平方メートルあたりの紙１枚の重量を示すものであり、一般的な値以外に任意の数値を設定できるものとする。ただし、印刷部１３０の保障外の値が設定された場合、保証内の最も近い値に丸め込まれるものとする。
【００４８】
表面性５０４は、上質紙、コート紙、マット紙、再生紙といった記録紙の表面性に関する情報が、予め用意された選択肢の中から設定される。
【００４９】
色分類５０５は、白、白（黄系）、白（青系）といった記録紙の色味に関する情報が設定される。この色分類に関してユーザは自動割当を選択可能であり、自動割当が選択されている場合は、後述の地色５０６に設定された色値（例えばＬ＊ａ＊ｂ＊値）を参照して自動的に割り当てられる。具体的には、色分類に用いられる上述の色分類名称（白、白（黄系）、白（青系）等）に夫々対応するＬ＊ａ＊ｂ＊値が存在し、これと地色５０６に設定されたＬ＊ａ＊ｂ＊値とを比較する。そして、比較の結果、最も距離の近い（値が小さい）Ｌ＊ａ＊ｂ＊値の色分類名称が自動で割り当てられる。この場合において、距離は、以下の式（１）によって求められる。
【００５０】
【数１】
2013187611.tif 000003
【００５１】
上記式（１）において、Ｌ1、ａ1、ｂ1は、地色５０６に設定されたＬ＊ａ＊ｂ＊値であり、Ｌ2、ａ2、ｂ2は、各色分類名称に対応するＬ＊ａ＊ｂ＊値である。ここで、例えば、色分類名称「白」に（９５，０，０）、色分類名称「白（黄系）」に（９５，−３，５）、色分類名称「白（青系）」に（９０，４，−８）の各Ｌ＊ａ＊ｂ＊値が対応付けられているとする。そして、地色５０６には（９５．５，０．７，−５．０）のＬ＊ａ＊ｂ＊値が設定されているとする。この場合、各色分類名称との距離は上記式（１）によってそれぞれ以下のように算出され、最も値が小さい「白」が最終的に色分類５０５の欄に設定される。
色分類名称「白」との距離         ＝√２５．７４  ＝  ５．０７
色分類名称「白（黄系）」との距離  ＝√１１３．９４＝１０．６７
色分類名称「白（青系）」との距離  ＝√５０．１４  ＝  ７．０８
【００５２】
この際、求められた距離が予め定めた閾値（例えば、１０．０）を超えた場合には、登録されている色分類名称に近い色分類はないものとして、「自動割り当てNG」や「自動色分類なし」としてもよい。
【００５３】
なお、自動割当が選択されていない場合は、予め用意してある色分類リストから任意の色分類名称を選択することにより設定される。
【００５４】
地色５０６は、Ｌ＊ａ＊ｂ値など、デバイスに依存しない色空間の値であって、後述の地色測定器５０８で特定される測色器を用いて取得した値を設定する。また、測色値に加えて濃度値の情報を持たせるようにしてもよい。
【００５５】
地色影響度５０７は、後述の地色影響度Ｒの算出処理によって取得されたＣＭＹＫのトナー毎の地色影響度の情報が入る。地色影響度の詳細については後述する。
【００５６】
地色５０６や地色影響度５０７を測定した際に利用した測色器の情報である地色測定器５０８は、例えば、装置内の測定部１３３やスキャナ１５０、或いは外部の測色器などの情報が入る。測色器によって精度にバラツキがあることから５０５〜５０７までの情報が同一の測色器で測定された情報か否かを判断できるようにこの設定を行う。なお、図５には含まれていないが、光源・視野角・フィルタなど測定条件に関する項目があっても良い。また、ここでは地色５０６と地色影響度５０７の測定に用いた測色器が同じであることを想定して記載しているが、必ずしも同じである必要はない。たとえば、異なる測色器が用いられる場合を想定して、「地色影響度測定器」の項目を別途追加してもよい。
【００５７】
色設計記録紙５０９は、設定中の記録紙を用いて色処理パラメータ（プロファイルなど）や濃度調整・カラーバランス設定などを最適化したかどうかを示すフラグ情報（「Ｙｅｓ」又は「Ｎｏ」）が設定される。このフラグは、以下のタイミングで設定・変更がなされる。
【００５８】
１）ＭＦＰメーカーが色処理パラメータの設計に利用した記録紙は、記録紙情報として初めからＹｅｓの状態で登録。
【００５９】
２）記録紙情報を新規に登録する際や編集の際に、ユーザが手動で設定変更。なお、ユーザが新規に登録する場合は、Ｎｏの状態がデフォルトとなる。
【００６０】
３）現在設定されている記録紙設定で色のチューニングを行った場合（標準状態の変更がされた場合）は、自動的にＹｅｓに変更。
【００６１】
ここで、色のチューニングについて説明しておく。例えば、ＭＦＰ設置時の初期状態と設置先でユーザが実際に利用する記録紙との組合せでは、満足な色味を得られない場合がある。このとき、ユーザやサービスマンは、ＭＦＰやＰＣのプリンタドライバが持つカラーバランス調整や濃度調整、プロファイルの変更などの機能を用いて好み色味になるよう調整し、これを標準状態として登録することが行われる。ＭＦＰの設置先で用いる記録紙に対してこのようなチューニングが入った場合、この記録紙の地色を考慮してチューニングしていることになるので、他の記録紙が使われた場合でも、この記録紙の地色を補正方向とした方がユーザ好みの補正になる。そこで、初期状態以外の状態を標準状態としたとき、そのとき利用されていた記録紙設定の色設計記録紙５０９のフラグが自動的にＹｅｓに変更となる。
【００６２】
メーカー５１０は記録紙のメーカーに関する情報であり、予め登録されているメーカー名のリストから選択してもよいし、任意の文字列で構成する名称を設定してもよい。
【００６３】
型番５１１は記録紙の型番に関する情報であり、予め登録されている型番のリストから選択してもよいし、任意の文字列で構成する名称を設定してもよい。
【００６４】
登録日５１２は記録紙情報の登録日情報であり、記録紙情報ライブラリ３０８に当該記録紙の情報を新規登録した日付が自動割当される。
【００６５】
更新日５１３は、登録内容が更新された場合に自動的にその日付が更新される。
【００６６】
登録データの種類５１４は、装置本体が元々持っていた情報か、ユーザによって更新／追加された情報かが設定される。
【００６７】
最終利用日５１５は、後述の記録紙設定において使用する記録紙として選択された直近の日付（実際の印刷に利用された最終日）情報であり、自動的に更新される。
【００６８】
利用頻度５１６は、利用されたカウント値であり、自動更新される。
【００６９】
次に、利用する記録紙の選択など記録紙に関する各種設定を行うための、表示装置１０６に表示されるユーザインタフェース画面について図６〜８を用いて説明する。
まず、図６は、利用する記録紙を選択し設定するための、記録紙種類設定ダイアログボックスである。記録紙種類設定ダイアログボックス６０１内の領域６０２には、記録紙情報ライブラリ３０８に登録されている記録紙情報の中から、利用可能な記録紙として「普通紙１」、「厚紙１」、「再生紙１」についての情報がリスト表示されている。ここでは、「普通紙1」がハイライト表示されており、現在選択状態にあることを示している。ここで、他の記録紙（例えば「厚紙１」）を選択し、ＯＫボタンを押下することで利用する記録紙の種類を変更することができる。
【００７０】
領域６０２に表示される項目は、基本的には図５の５０１〜５１６に示す項目に対応するが、色分類５０５の項目については白基準相対色６０８という項目が代わりに表示される。この白基準相対色６０８は、後述の白基準オプションダイアログボックス７０１における白基準設定領域７０２に設定された内容を基準とした場合の相対的な色を示す情報である。なお、白基準相対色６０８に示された色の後に付加されたマーカー「〜」は、その記録紙についての色分類５０７が自動割当に設定されていることを意味している。また、マーカー「＊」は、当該記録紙の色値を測定した測色器が、上記白基準設定領域７０２の設定内容において使用された測色器と異なることを意味している。なお、これら項目の表示態様は不図示の表示オプション設定項目で切り替えることができる。
【００７１】
６０３は白基準オプションボタンであり、これが押下されると、図７の（ａ）に示す白基準オプションダイアログボックス７０１が表示装置１４０に表示される。
【００７２】
６０４は追加ボタンであり、これが押されると、図８に示す記録紙種類登録ダイアログボックス８０１が表示装置１４０に表示される。
【００７３】
６０５は削除ボタンであり、リストの中からいずれかの記録紙を選択した状態で押下されると、当該記録紙の情報が記録紙情報ライブラリ３０８から削除され、領域６０２からも表示が消える。
【００７４】
６０６はコピーボタンであり、リストの中からいずれかの記録紙を選択した状態で押下されると、当該記録紙の末尾の番号が変更された名称（例えば「厚紙１」をコピーした場合は「厚紙２」）でコピーが作成される。
【００７５】
６０７は編集ボタンであり、リストの中からいずれかの記録紙を選択した状態で押下されると、追加ボタン６０４を押下した場合と同様、図８の（ａ）に示す記録紙種類登録ダイアログボックス８０１が表示装置１４０に表示される。
【００７６】
次に、白基準オプションダイアログボックス７０１について説明する。図７の（ａ）は、白基準オプションダイアログボックス７０１の一例を示す図である。
【００７７】
白基準オプションダイアログボックス７０１は、白基準設定領域７０２と表示オプション領域７０３の２つで構成される。表示オプション領域７０３では、前述のマーカー形状の変更が可能になっている。白基準設定領域７０２では、白基準と基準紙の設定を行う。そして、白基準選択領域７０４では、基準紙選択領域７０５で選択された記録紙の地色５０６に設定されたL＊a＊b＊値を白の基準とする「基準紙地色基準」か、「絶対白基準」のどちらかを選択できる。この場合において、「絶対白基準」が選択された場合は、記録紙情報ライブラリ３０８の色分類５０５に設定された内容が、そのまま上述の白基準相対色６０８の欄に表示される。一方、「基準紙地色基準」が選択された場合は、基準紙選択領域７０５で選択された記録紙の地色（図７の例では「普通紙１」の地色）を白の基準としたときの相対的な色分類が白基準相対色６０８の欄に表示される。具体的には、記録紙種類設定ダイアログボックス６０１内の領域６０２で現在選択されている記録紙の地色（L＊a＊b＊値）に対して基準紙選択領域７０５で選択された記録紙の地色（L＊a＊b＊値）で差分オフセットをかけて、色分類名称が求められる。これにより、記録紙情報ライブラリ３０８に登録されている記録紙の情報では自動割当によって「白」が色分類５０５に設定されていた場合でも、白の基準となる記録紙が変更されることで、例えば「白（黄系）」が白基準相対色６０８の欄に表示されることになる。
【００７８】
なお、基準紙選択領域７０５における選択肢は、記録紙種類設定ダイアログボックス６０１の領域６０２にリスト表示された記録紙となる。そして、色設計記録紙５０９のフラグ情報が「Ｎｏ」に設定されている記録紙を基準紙として選択した場合は、確認を求めるメッセージが表示装置１４０に表示される。図７の（ｂ）は、この確認を求めるメッセージの一例である。
【００７９】
次に、新たな記録紙の情報を追加したり、既に登録されている記録紙の情報を編集するための、記録紙種類登録ダイアログボックス８０１について説明する。図８の（ａ）は、記録紙種類登録ダイアログボックス８０１の一例を示す図である。前述の記録紙種類設定ダイアログボックス６０１の追加ボタン６０４の押下によって、この記録紙種類登録ダイアログボックス８０１が起動される場合は、デフォルトで設定された記録紙の情報が表示された状態で起動される。これに対し、編集ボタン６０７の押下によってこの記録紙種類登録ダイアログボックス８０１が起動される場合は、起動時に選択されている記録紙の情報が表示された状態で起動される。
【００８０】
記録紙種類登録ダイアログボックス８０１の領域８０２には、記録紙情報ライブラリ３０８における各項目の設定内容が表示される。図８の例では一部の項目のみを表示しているが、スクロール表示等によりすべての項目が表示可能である。
【００８１】
領域８０２内のライブラリ参照ボタン８０３を押下すると、記録紙情報ライブラリ３０８に登録されている記録紙のリストが表示され、該リストから任意の記録紙を選択することで領域８０２内の表示内容が当該選択された記録紙のものに更新される。この状態で任意の設定値を変更してＯＫボタン８０４を押下すると、記録紙情報ライブラリ３０８内の情報を上書きして登録するのか或いは新規に登録するのかをユーザに確認するメッセージが表示装置１０２に表示される。図８の（ｂ）は、この確認メッセージの一例である。新規ボタン８１０が押下されれば新規に登録がなされ、上書きボタン８１１が押下されれば既存の記録紙情報が変更後の内容で登録される。
【００８２】
ライブラリ参照をせずに、手動で設定を行うことも可能である。この場合において、地色５０６、地色影響度５０７、地色測定器５０８に関する情報については、自動で登録することも可能である。自動登録ボタン８０５の押下により、給紙部１３１から画像形成部１３２に記録紙が給紙され、給紙された記録紙を測定部１３３（又はスキャナ１５０）で測定することにより上記項目５０６〜５０８についての設定値の自動登録処理を行うことができる。なお、クリアボタン８０６の押下により、自動登録された情報をクリアすることもできる。この自動登録処理の詳細については後述する。
【００８３】
必要項目を設定後、ＯＫボタン８０４を押下すると、記録紙情報ライブラリ３０８への記録紙情報の新規登録が行われ、記録紙種類設定ダイアログボックス６０１の領域６０２内に新たな記録紙情報が追加される。
【００８４】
次に、地色５０６、地色影響度５０７、地色測定器５０８に関する情報の自動登録処理について詳しく説明する。
【００８５】
図９は、自動登録処理の流れを示すフローチャートである。なお、以下で述べる各ステップの処理は、ＲＯＭ１１２に格納されたプログラムがＲＡＭ１１３に読み出され、これをＣＰＵ１１１が実行することにより実現される。
【００８６】
ステップ９０１において、ＣＰＵ１１１は、給紙部１３１の給紙カセット（給紙口）のうち使用する給紙口を選択する。記録紙がセットされている給紙口が複数ある場合は、表示装置１４０に図１０で示すようなメッセージを表示して、どの給紙口にセットされている記録紙の情報を登録するかをユーザに選択させる。記録紙がセットされている給紙口が１つしかない場合は、その給紙口が選択される。
【００８７】
ステップ９０２において、ＣＰＵ１１１は、記憶装置１７０からチャートデータを取得し、印刷部１３０に対して出力指示を出して、図２に示したようなカラーチャートを作成する。このとき、ステップ９０１で選択した給紙口から給紙を行う。なお、カラーチャート上のパッチナンバーに対応する信号値の情報は記憶装置１７０に格納されている。また、パッチの数を増やしたい場合は、カラーチャートを複数枚の記録紙に亘って出力してもよい。
【００８８】
ステップ９０３において、ＣＰＵ１１１は、出力された記録紙上のカラーチャートの測定を測定部１３３に指示する。これを受けて測定部１３３は、センサ１３４によってカラーチャートの測定を行い、Ｌ＊ａ＊ｂ＊値を取得する。図１１は、カラーチャート上のK単色パッチの測色値（Ｌ＊ａ＊ｂ＊値）の一例を示した図である。図１１の例では、パッチＮｏ．が０〜６の計７つのパッチの測定値を示しているが、当然のことながらパッチ数はこれに限られるものではない。取得された測色値は、一旦、記憶装置１７０等に格納される。
【００８９】
ステップ９０４において、ＣＰＵ１１１は、格納しておいた測色値を読み出し、単色トナーによる地色影響度Ｒを取得する。
地色影響度とは、用紙の下地の色である地色が、印刷物に与える影響度合いを示す。
これは、トナーの載り量に依存している。
【００９０】
例えば、Ｃ、Ｍ、Ｙ、Ｋの各トナーによる総トナー載り量が１００％以上のベタ部では、記録紙の地色は見えないので、地色影響度は０％である。それに対して、総トナー載り量０％（トナーが載っていない）の紙白部では、記録紙の地色がむき出しになっているため、地色影響度は１００％となる。
また、地色影響度Ｒは、利用する記録紙の地色（トナーが付加されていない部分の色）に応じて色補正を行う（記録紙上に付加される各トナーの割合を補正する）ために用いられる。
【００９１】
地色影響度Rの取得処理の中身については後述する。取得された地色影響度Ｒも、一旦、記憶装置１７０等に格納される。
【００９２】
ステップ９０５において、ＣＰＵ１１１は、測色値と地色影響度Ｒを読み出し、ステップ９０３での測定に使用した測定部１３３の情報を含めて、記録紙種類登録ダイアログボックス８０１に表示される情報を更新する。
【００９３】
なお、ここではステップ９０３のカラーチャートの測定で測定部１３３を用いた例を説明したが、スキャナ１５０を用いても良い。その場合は、画像処理部３１４でスキャンデータへの色変換処理を行ってＬ＊ａ＊ｂ＊画像を取得すればよい。また、その他の測定器として外部接続された測定器を用いても良い。
【００９４】
次に、地色影響度Rの取得処理の詳細について説明する。図１２は、地色影響度Rを取得する処理の流れを示すフローチャートである。なお、以下で述べる各ステップの処理も、記憶装置１７０等に格納されたプログラムがコントローラ１１０内のＲＡＭ１１３に読み出され、これをＣＰＵ１１１が実行することにより実現される。
【００９５】
ステップ１２０１において、ＣＰＵ１１１は、まず、K単色のトナーカバー率を算出する。トナーカバー率は、用紙に対してトナーが付加されている割合のことで、トナーカバー率が高いほど、用紙の地色が見えにくくなる。
トナーカバー率は、測色されたK単色における明度Ｌ＊のダイナミックレンジでの変化率を求めることで得ることができる。これは、明るさを示すＬ＊の変化は、トナーが地色を覆うことと相関するからである。図１３は、図１１に示すK単色パッチの測色値を基にした場合における、K単色のトナーカバー率の一例である。具体的には、最初にパッチＮｏ．０（ベタ部）のＬ＊値２７．９４を各パッチのＬ＊値から引いてオフセット値を求め、求められたオフセット値の変化率を以下の式（２）を用いて算出して、パッチ毎のトナーカバー率が求められる。
トナーカバー率  =  （１−（対象パッチのオフセット値÷地色のオフセット値））×１００
・・・式（２）
【００９６】
例えば、パッチＮｏ．１の場合であれば、１−（１９．３７÷６２．０１）×１００＝６８．７６（％）のようにトナーカバー率が算出される。他のパッチについても同様にトナーカバー率が算出され、図１３の表ができる。
【００９７】
ステップ１２０２において、ＣＰＵ１１１は、K単色の地色影響度を取得する。
【００９８】
K単色の地色影響度は、まず、彩度Ｓを求め、求められた彩度Ｓの変化率を算出することで得られる。ベタ部のａ＊ｂ＊の値から分かるように、K単色ではトナーの色がほぼ無彩色であり、彩度Ｓの変化は地色による影響と見ることができるからである。図１４は、K単色の地色影響度の一例である。なお、彩度Ｓ及び彩度Ｓの変化率は、それぞれ以下の式（３）及び式（４）によって得られる。
彩度S  =  √（a＊のオフセット値^2 + b＊のオフセット値^2）      ・・・式（３）
彩度Ｓの変化率  ＝  対象パッチの彩度Ｓ÷地色の彩度Ｓ×１００  ・・・式（４）
【００９９】
例えば、パッチＮｏ．１の彩度Ｓの変化率、つまりＫ単色の地色影響度は、１．３９÷５．０５）×１００＝  ２７．５２（％）となる。
【０１００】
図１５は、上記のようにして得られるK単色のトナーカバー率とK単色の地色影響度との関係を示すグラフである。両者の関係を近似曲線で求めても良いが、トナーカバー率と地色影響度は略比例関係にあり、以下の式（５）に近似できることが分かる。
地色影響度  ＝  １００−トナーカバー率                        ・・・式（５）
【０１０１】
したがって、彩度Ｓやその変化率の算出を省略して、トナーカバー率から直接にK単色の地色影響度を求めても良い。
【０１０２】
ステップ１２０３において、ＣＰＵ１１１は、ステップ１２０１の場合と同様に、Ｃ、Ｍ、Ｙの各色についてのトナーカバー率を算出する。
【０１０３】
ステップ１２０４において、ＣＰＵ１１１は、Ｃ、Ｍ、Ｙの各色の地色影響度を、上記式（５）を用いて算出する。
【０１０４】
このようにして、Ｃ、Ｍ、Ｙ、Ｋのそれぞれについて、地色影響度が取得される。
【０１０５】
次に、本実施例の特徴である地色に応じた色補正処理について説明する。
【０１０６】
この色補正処理は、前述の白基準オプションダイアログボックス７０１の白基準設定領域７０２が変更されたときに実行され、その記録紙の種類設定に対応する地色補正がなされた色処理パラメータ（本実施例ではデスティネーションプロファイル）が生成される。そして、この地色補正が適用されたデスティネーションプロファイルは、後述の図１９に示す印刷設定ダイアログボックス１９０１内のチェックボックス１９０３（白基準地色補正を行う）にチェックが入った状態で、印刷が実行されるときに利用される。チェックボックス１９０３にチェックが入っていない状態では、地色補正されていないデスティネーションプロファイルが利用されることになる。
【０１０７】
なお、以下で述べる各ステップの処理も、ＲＯＭ１１２に格納されたプログラムがコントローラ１１０内のＲＡＭ１１３に読み出され、これをＣＰＵ１１１が実行することにより実現される。
【０１０８】
図１６は、地色に応じた色補正処理の流れを示すフローチャートである。
【０１０９】
ステップ１６０１において、ＣＰＵ１１１は、最初に、白基準設定と記録紙種類設定の設定内容を記憶装置１７０から、白基準の地色情報（L＊a＊b＊値）と使用する記録紙の地色情報（L＊a＊b＊値）を記録紙情報ライブラリ３０８から、夫々取得する。そして、使用する記録紙（用紙）の地色（Ｌ＊ａ＊ｂ＊値）を白基準の地色（L＊a＊b＊値）に補正する白基準ベクトルBを、以下の式（６）を用いて取得する（白基準ベクトル取得）。
【０１１０】
【数２】
2013187611.tif 000004
【０１１１】
図１７は、本ステップで取得される白基準ベクトルＢの一例を示す図である。図１７において、１７０１は使用する記録紙の地色、１７０２は白基準の地色、１７０３は取得された白基準ベクトルＢをそれぞれ示している。
【０１１２】
なお、ここでは、L＊a＊b＊値のすべての成分を利用して求めたが、L＊成分は使わず色成分（a＊b＊）のみを用いて白基準ベクトルＢを求めてもよい。
【０１１３】
ステップ１６０２において、ＣＰＵ１１１は、混色の地色影響度ＳＲを取得する。地色からの影響は、複数のトナーが載った混色状態で考える必要があるからである。図１８の（ａ）は、ここで取得される混色の地色影響度ＳＲが関連する処理部分をピックアップした図であり、図４のフローチャートのステップ４０７〜ステップ４０９に対応している。ＣＭＳの出力であるCMYKデータに対応する地色影響度ＳＲが、前述の単色の地色影響度Ｒを用いて求められる。なお、地色影響度は基本的にはトナーカバー率で決まることから、トナーカバー率から直接求めても良い。
【０１１４】
具体的には、ＣＭＳの出力であるCMYKデータの各色に対応する地色影響度Ｒを求めて、その合算した値を取得することで、混色の地色影響度ＳＲが求められる。なお、合算値が１００％を超える場合は１００％にクリップする。これを式で表すと以下のようになる。
地色影響度ＳＲ[CMYK]
= 地色影響度Ｒ[C’]＋地色影響度Ｒ[M’]＋地色影響度Ｒ[Y’]＋地色影響度Ｒ[K’]
If ( 地色影響度ＳＲ > １００ )   地色影響度ＳＲ ＝ １００
・・・式（７）
【０１１５】
なお、記録紙情報ライブラリ３０８に登録されている地色影響度Ｒは、ＣＭＳでの色変換処理後のCMYKデータのままでは参照できない。この地色影響度Ｒは、画像形成処理（図４のステップ４０９）の直前の信号値情報（C’M’Y’K’データ）に対応しているためである。そこで、CMYKデータに１D-LUT補正処理（図４のステップ４０８）をかけたC’M’Y’K’データで地色影響度Ｒを参照する。なお、地色影響度Ｒはすべての信号値に対して取得しているわけではないので、参照値がない場合は、近傍の地色影響度Ｒの補間演算／地色影響度Ｒ群を通る近似曲線から取得するものとする。
【０１１６】
次に、ステップ１６０３において、色処理パラメータを白基準設定の地色に合わせて補正を行う。本実施例では、デスティネーションプロファイル３０７に対して行う。図１８の（ａ）に示されるように、デスティネーションプロファイル３０７は、２つの色処理、１８０２のL＊a＊b＊→L＊’a＊’b＊’変換と１８０３のL＊’a＊’b＊’→Destination色空間（CMYK）変換とで構成されている。
【０１１７】
白基準設定の地色に合わせた補正は、L＊’a＊’b＊’に対して、L＊’a＊’b＊’→ L＊’ ’a＊’’b＊’’ 変換を追加することで実現する。具体的には以下の式（８）に示す演算を行う。
L＊’’a＊’’ b＊’’ = L＊’a＊’b＊’ + 混色地色影響度SR[L＊’a＊’b＊’]×白基準ベクトルB
・・・式（８）
【０１１８】
なお、L＊’a＊’b＊’に対応する混色地色影響度ＳＲは、L＊’a＊’b＊’に対応するDestination色空間（CMYKデータ）から求めることができる。
【０１１９】
以上のように、補正処理をデスティネーションプロファイル３０７に加え、使用する記録紙に設定された画像形成時に用いる色処理パラメータに対して補正を行うことで、入力画像に対して白基準設定の地色に合わせた補正を実施することができる。
【０１２０】
また、ここではデスティネーションプロファイル３０７に対して色補正を行ったが、ソースプロファイル３０６に対して行っても構わない。何に対して色補正を行うかは、プロファイルとして設定するパラメータ次第である。例えばソースプロファイルを、Source色空間→L＊a＊b＊変換（１８０１）とL＊a＊b＊→L＊’a＊’b＊’変換（１８０２）とL＊’a＊’b＊’→Destination色空間変換（１８０３）とで構成したとする。このようにソースプロファイルを３つの色処理で構成して（図１８の（ｂ）を参照）、ソースプロファイルに対して色補正を行うようにしてもよい。なお、この場合のデスティネーションプロファイル３０７は、色変換をしない係数設定となる。
【０１２１】
さらに、同様のことを、プロファイルではなく、色変換処理（図４のステップ４０７）の色処理パラメータに対して行えば、スキャンデータに対して補正することが可能である。
【０１２２】
また、色補正ベクトルである混色地色影響度SR[L＊’a＊’b＊’]×白基準ベクトルBと、CMYK各トナーのベタ部におけるL＊a＊b＊ベクトルが分かっている。このことから、色補正ベクトルと等しいベクトルとなるCMYKトナー加算量を算出し、1D-LUT補正処理（図４のステップ４０８）のテーブルに対して、補正を行っても良い。
【０１２３】
また、上述の例では地色影響度を測色値に基づいて取得していたが、画像形成処理（図４のステップ４０９）がなされた後のドットのON/OFFを示す画像データ情報から、ドットの面積比率を算出し、それを簡易的に地色影響度としても良い。
【０１２４】
また、補正のON/OFFは、ＰＣ１９０のプリンタドライバで簡単に制御することができる。図１９は、プリンタドライバによって制御されるユーザインタフェース画面の一例である。印刷設定ダイアログボックス１９０１は、ＯＳの管理するプリンタフォルダやアプリケーションの印刷設定画面等から開くことができる。ユーザからの指示を受けて、ＰＣ１９０はプリンタドライバを実行して印刷設定ダイアログボックス１９０１を不図示のＣＲＴ上に表示する。印刷設定ダイアログボックス１９０１には、ページ設定タグ、仕上げタグ、給紙タグおよび印刷品質タグがある。図１９では印刷品質タグが選択され、印刷品質の設定を行うことのできる印刷品質シート１９０２が表示されている状態である。このシート内のチェックボックス１９０３にチェックを入れたり外したりすることで、白基準地色補正を行うかどうかを切り替えることができる。
【０１２５】
以上述べたように、本実施例によれば、利用する記録紙が最適な色処理パラメータが設計された推奨紙ではない記録紙に変更された場合、色処理パラメータが設計された記録紙を基準紙として地色補正を行う。これにより、再チューニングなし（パラメータを設計しない）でも良質な画質を得ることが可能になる。また、地色補正量を地色影響度に応じて変えることで、地色の影響が少ない部分に対して画質劣化を招く補正処理がかかりにくくできる。
【０１２６】
[実施例２]
次に、ユーザが、利用中の記録紙における地色や地色影響度を特に意識しなくても取得することが可能な態様について、実施例２として説明する。
【０１２７】
本実施例では、利用中の記録紙の地色情報や地色影響度を、1D LUTの作成時若しくは補正する濃度キャリブレーション実行時に取得するようにする。
【０１２８】
まず、濃度キャリブレーション処理について説明する。図２０は、濃度キャリブレーション処理の流れを示すフローチャートである。なお、以下で述べる各ステップの処理は、ＲＯＭ１１２に格納されたプログラムがＲＡＭ１１３に読み出され、これをＣＰＵ１１１が実行することにより実現される。
【０１２９】
ステップ２００１において、ＣＰＵ１１１は、記憶装置１７０に格納されているチャートデータを取得して、画像形成部１３２に対して出力指示を出し、カラーチャートを作成する。
【０１３０】
ステップ２００２において、ＣＰＵ１１１は、測定部１３３に対し作成されたカラーチャートの測色を指示する。測定部１３３は、センサ１３４を用いてカラーチャートの測定を行い、L＊a＊b＊値を得る。なお、地色情報の取得は不要である。階調補正用の1D-LUTの生成又は地色影響度取得処理のためだけの測定の場合、センサ１３４は濃度センサであってもよい。また、記録紙ではなく不図示の記録媒体（転写ベルト、感光ドラムなど）にパッチを打ち、それを測定する測定部によって測色を行ってもよい。測定された測色値データは記憶装置１７０に格納される。
【０１３１】
ステップ２００３において、ＣＰＵ１１１は、記憶装置１７０に格納された測色値データを用いて、パッチの信号値をターゲット濃度に乗せるための1D-LUTの生成を行う。生成された1D-LUTは、1D-LUT補正処理（実施例１のステップ４０８参照）に組み込まれる。
【０１３２】
ステップ２００４において、ＣＰＵ１１１は、記憶装置１７０に格納された測色値データを用いて、地色影響度Rの取得処理を行う。地色影響度R取得処理の内容については実施例１で説明したとおりである。
【０１３３】
ステップ２００５において、ＣＰＵ１１１は、記憶装置１７０に格納された測色値データから地色測色値を取得する。なお、地色測色値は、通常のプリントジョブ実行時に記録紙を測定することで取得してもよい。プリントジョブ実行時に地色の測定を行う場合、トナー定着前の給紙部１３１側に測定部がある機構であれば、給紙時に地色の測定を行う。そして、トナー定着後の排紙部側に測定部がある機構であれば、画像形成部の印刷保証外領域の地色を測定する。また、両面パスがある構造であれば、地色測定用に測定部まで通紙し、地色を先読みしてから両面パスを繰り返し通すことでプリントを完了させる。どのタイミングで地色を測定するかは、例えば図２１に示すような地色測定タイミングオプション設定画面で設定された内容に応じて切り替えるものとする。“JOB完了時”や“毎ページ”に設定されている場合は、取得された地色情報を用いた補正が次ページ以降に反映されることになる。
【０１３４】
本実施例によれば、利用中の記録紙の地色情報や地色影響度を、ユーザが特に意識することなく取得することができる。そして、実施例１のように記録紙種類設定などを特に行わずとも、利用する記録紙の変更にあわせて、最適化が行われた記録紙を基準紙とした地色補正を行うことが可能になる。
【０１３５】
[その他の実施例]
また、本発明の目的は、以下の処理を実行することによっても達成される。即ち、上述した実施例の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【図１】
2013187611.tif 000005
【図２】
2013187611.tif 000006
【図３】
2013187611.tif 000007
【図４】
2013187611.tif 000008
【図５】
2013187611.tif 000009
【図６】
2013187611.tif 000010
【図７】
2013187611.tif 000011
【図８】
2013187611.tif 000012
【図９】
2013187611.tif 000013
【図１０】
2013187611.tif 000014
【図１１】
2013187611.tif 000015
【図１２】
2013187611.tif 000016
【図１３】
2013187611.tif 000017
【図１４】
2013187611.tif 000018
【図１５】
2013187611.tif 000019
【図１６】
2013187611.tif 000020
【図１７】
2013187611.tif 000021
【図１８】
2013187611.tif 000022
【図１９】
2013187611.tif 000023
【図２０】
2013187611.tif 000024
【図２１】
2013187611.tif 000025